(57)【要約】【課題】現場や客先などに顧客情報が記録された帳票などの書類を持参した際に、書類の汚れや紛失の防止が可能であるとともに、調査結果を記入することも可能で、現場調査などに好適なファイリング用具を提供する。【解決手段】ファイリング用具１を、書類２を載置するボード本体３と、ボード本体３に載置した書類２を挟み、ボード本体３に固定する挟持部４と、ボード本体３に載置した書類２を被覆するカバー部５と、カバー部５の外縁部６を、ボード本体３に止着する止着部７と、を有して構成する。【選択図】図１
2011201112.tif 000002
【特許請求の範囲】
【請求項１】
書類（２）を載置するボード本体（３）と、
前記ボード本体（３）に載置した前記書類（２）を挟み、前記ボード本体（３）に固定する挟持部（４）と、
前記ボード本体（３）に載置した前記書類（２）を被覆するカバー部（５）と、
前記カバー部（５）の外縁部（６）を、前記ボード本体（３）に止着する止着部（７）と、を有することを特徴とするファイリング用具。
【請求項２】
前記止着部（７）が、凹溝（１０ａ）と凸条（１０ｂ）とを係合させる線状ファスナー（１０）である、ことを特徴とする請求項１に記載のファイリング用具。
【請求項３】
前記止着部（７）が、雄型面ファスナー（１２ａ）と雌型面ファスナー（１２ｂ）とからなる面ファスナー（１２）である、ことを特徴とする請求項１または２に記載のファイリング用具。
【請求項４】
前記止着部（７）が、係合穴（１３ａ）と係合突起（１３ｂ）とを係合させてなるものである、ことを特徴とする請求項１〜３いずれか１項に記載のファイリング用具。
【請求項５】
前記ボード本体（３）は、前記書類（２）の載置面とは反対側の裏面に、第２のカバー部（１４）を配置し、前記カバー部（５）及び前記第２のカバー部（１４）を、前記ボード本体（３）よりも広面積に形成し、前記カバー部（５）及び前記第２のカバー部（１４）に、前記ボード本体（３）の外縁部（１１）から突出する綴じ代部（１５）をそれぞれ形成するとともに、当該綴じ代部（１５）に止着部（７）を設け、当該綴じ代部（１５）同士を、前記止着部（７）で止着することで、前記カバー部（５）を前記ボード本体（３）に止着した、ことを特徴とする請求項１〜４いずれか１項に記載のファイリング用具。
【請求項６】
更に、ストラップ（８）を取り付けた、ことを特徴とする請求項１〜５いずれか１項に記載のファイリング用具。
【請求項７】
前記カバー部（５）または第２のカバー部（１４）が、開口部（１６）を有する袋体（１７）で形成された、ことを特徴とする請求項１〜６いずれか１項に記載のファイリング用具。
【発明の詳細な説明】
【技術分野】
【０００１】
本発明は、書類の汚れや紛失などの防止効果に優れ、文字などの記入にも用いることが可能なファイリング用具に係り、特に、現場などに顧客情報が記録された書類を持参して調査を行う際に、帳票などの書類の汚れや紛失を防止することができ、しかも、調査結果を記入することも可能で、調査に好適なファイリング用具に関する。
【背景技術】
【０００２】
従来、現場調査などで現場などに赴く際に、顧客情報が記録された帳票を社外へ持ち出す場合、クリップボード（バインダー）やクリアケースに帳票を入れて外出していた。そして、現地で帳票を取り出し、調査を実施している。このように帳票などをクリップボードに挟んで保管し、また、クリップボードを下敷きにして文字や図面が書けるようなものが提案されている（例えば、特許文献１、２参照）。
【先行技術文献】
【特許文献】
【０００３】
【特許文献１】実用新案登録第３０６４００３号公報
【特許文献２】実用新案登録第３０６６１０３号公報
【発明の開示】
【発明が解決しようとする課題】
【０００４】
しかしながら、従来のクリップボードやクリアケースでは、現場や客先への移動中に帳票がバインダーから外れて紛失したり、汚れたりするという課題があった。また、厚手のバインダーでは、下敷き代わりにして調査した内容を帳票に記入することができるが、クリアケースでは、柔らかすぎて下敷きとしての機能がなく、書きづらいという面がある。また、調査終了後に、帳票ごと、バインダーやクリアケースを現場や車中へ置き忘れてしまう可能性もある。
【０００５】
本発明は、かかる問題点を解決するために創案されたものである。すなわち、本発明の目的は、現場や客先などに顧客情報が記録された帳票を持参して調査を行う際に、書類の汚れや紛失を防止するとともに、調査結果を記入することも可能で、現場調査に好適なファイリング用具を提供することにある。
【課題を解決するための手段】
【０００６】
前記課題を解決するために、本発明に係るファイリング用具（１）は、書類（２）を載置するボード本体（３）と、ボード本体（３）に載置した書類（２）を挟み、ボード本体（３）に固定する挟持部（４）と、ボード本体（３）に載置した書類（２）を被覆するカバー部（５）と、カバー部（５）の外縁部（６）を、ボード本体（３）に止着する止着部（７）と、を有することを特徴とする。
【０００７】
また、このようなファイリング用具（１）は、止着部（７）が、凹溝（１０ａ）と凸条（１０ｂ）とを係合させる線状ファスナー（１０）であることが好ましい。
【０００８】
また、このようなファイリング用具（１）は、止着部（７）が、雄型面ファスナー（１２ａ）と雌型面ファスナー（１２ｂ）とからなる面ファスナー（１２）であることが好ましい。
【０００９】
また、このようなファイリング用具（１）は、止着部（７）が、係合穴（１３ａ）と係
合突起（１３ｂ）とを係合させてなるものであることが好ましい。
【００１０】
また、このようなファイリング用具（１）において、ボード本体（３）は、書類（２）の載置面とは反対側の裏面に、第２のカバー部（１４）を配置し、カバー部（５）及び第２のカバー部（１４）を、ボード本体（３）よりも広面積に形成し、カバー部（５）及び第２のカバー部（１４）に、ボード本体（３）の外縁部（１１）から突出する綴じ代部（１５）をそれぞれ形成するとともに、当該綴じ代部（１５）に止着部（７）を設け、当該綴じ代部（１５）同士を、止着部（７）で止着することで、カバー部（５）をボード本体（３）に止着したことが好ましい。
【００１１】
また、このようなファイリング用具（１）は、更に、ストラップ（８）を取り付けたことが好ましい。
【００１２】
また、このようなファイリング用具（１）は、カバー部（５）または第２のカバー部（１４）が、開口部（１６）を有する袋体（１７）で形成されたことが好ましい。
【発明の効果】
【００１３】
本発明を以上のように構成すると、現場や客先などに顧客情報が記録された帳票などの書類を持参した際に、書類の汚れや紛失の防止が可能であるとともに、調査結果を記入することも可能で、現場調査などに好適なファイリング用具を得ることができる。
【図面の簡単な説明】
【００１４】
【図１】実施例１に係るファイリング用具の概略を示す斜視図である。
【図２】図１のファイリング用具のカバー部をボード本体に止着した場合の、図１におけるＡ−Ａ線断面図である。
【図３】実施例２のファイリング用具の断面図で、止着部として面ファスナーを用いたものである。
【図４】実施例３のファイリング用具の断面図で、止着部として係合突起と係合穴を用いたものである。
【図５】実施例４のファイリング用具の断面図で、ボード本体を箱形にして深さを設けたものである。
【図６】実施例５のファイリング用具の断面図で、ボード本体の裏面にも第２のカバー部を配置したものである。
【図７】実施例６のファイリング用具の断面図で、カバー部を袋状としたものである。
【発明を実施するための形態】
【００１５】
本発明のファイリング用具は、現場や客先などに顧客情報が記録された帳票その他の書類を持参する際に、書類の汚れや紛失を防止するとともに、調査結果の記入をも容易とするために、ファイリング用具を、書類を載置するボード本体と、書類をボード本体に固定する挟持部と、書類を被覆するカバー部と、カバー部の外縁部を、ボード本体に止着する止着部と、を有して構成したものである。
【実施例１】
【００１６】
以下、本発明の好ましい実施の形態を、図面を参照して説明する。
図１は実施例１のファイリング用具１の概略を示す斜視図である。図２は、図１のファイリング用具１のボード本体３にカバー部５を止着した場合の、図１におけるＡ−Ａ線断面図である。
まず、図１に示すように、実施例１のファイリング用具１は、書類２を載置するボード本体３と、このボード本体３に載置した書類２の一側を挟み、ボード本体３に固定する挟
持部としてのクリップ４と、ボード本体３に載置した書類２を被覆するカバー部５と、カバー部５の外縁部６を、ボード本体３に止着する止着部７と、を有して構成されている。本明細書では、図１の紙面に向かって上方向を上部、下方向を下部、左方向を左側、右方向を右側と定義する。
【００１７】
また、実施例１のファイリング用具１は、ファイリング用具１の置き忘れや紛失を防止するため、紐状のストラップ８をボード本体３の下側に取り付けている。また、ストラップ８の先端部に、フック９を設け、ズボンやベルト通し、鞄本体や取っ手に取り付けられるようにしている。なお、実施例１では、ストラップ８をボード本体３の左下部に取り付けているが、本願がこれに限定されることはなく、ファイリング用具１の何れの位置や部材に取り付けてもよい。
【００１８】
ホード本体３は、矩形状で２つの平面を有し、書類２を載置して固定するとともに、下敷きとして文字や図面などを書くことができる。また、この目的を果たすことができ、書類２が折れ曲がることのない程度の硬度を有するものであれば、特に限定はなく、木材、樹脂、厚紙など、従来公知の材料を使用することができる。また、クリップ４も、書類２をボード本体３に挟むことができれば、特に限定はなく、従来公知の何れのものを使用してもよい。また、クリップ４は、実施例１では、左側に取り付けてあるが、上部や右側に取り付けてもよい。また、実施例１では、カバー部５ごと、書類２をクリップ４で挟むようにしている。
【００１９】
カバー部５は、実施例１では一般的に使用されているクリアケースのような透明または半透明の樹脂で形成されている。カバー部５も、書類２を雨や泥水などから保護する防水性があり、ある程度の弾性力や可撓性などがあり、書類２を保護することができれば、従来公知の何れの材料で形成してもよい。
【００２０】
止着部７は、実施例１では、直線状の凹溝１０ａと凸条１０ｂとからなる、いわゆる線状ファスナー１０を使用している。この線状ファスナー１０の凹溝１０ａを、カバー部５の外縁部６の上部、右側、及び、下部にそれぞれ取り付け、これらの凹溝１０ａの位置に対応して、ボード本体３の外縁部１１の上部、右側、及び、下部に、凸条１０ｂを取り付けている。なお、カバー部５の左端は、ボード本体３に糊付けや溶着などで固定されているものとする、図２に示すように、各凹溝１０ａに各凸条１０ｂを係合することにより、ボード本体３にカバー部５を止着し、書類２を被覆して保護することができる。
【００２１】
上記のようなファイリング用具１を用いて、現場などに書類（帳票）２を持参し、調査を行う場合について説明する。まず、図１に示すように、カバー部５を開いた状態で、書類２をボード本体３に載置し、クリップ４で固定する。次に、カバー部５を閉じて、図１、図２に示すように、外縁部６，１１の凹溝１０ａと凸条１０ｂとを係合することにより、ボード本体３とカバー部５とを止着し、書類２をほぼ密閉することができる。そのため、多少の雨などが降ったりファイリング用具１を地面に落としても、書類２が濡れたり汚れたりするのを防ぐことができる。また、ボード本体３から書類２が落下して紛失することも良好に防ぐことができる。また、ストラップ８のフック９をベルトやベルト通しに取り付けたり、鞄本体や鞄の取っ手に取り付けることにより、ファイリング用具１自体の置き忘れや紛失を防止することもできる。また、カバー部５が透明なので、書類２の綴じ忘れなども防ぐことができる。
【００２２】
また、現場では、凹溝１０ａと凸条１０ｂとの係合を解除して、カバー部５をめくることで、書類２の内容を確認することができる。また、ボード本体３を下敷き代わりにして、調査結果をその場で書類２に書き込むこともできる。また、作業終了の際も、止着部７によってカバー部５とボード本体３とを止着し、書類２を収納することで、汚れや紛失を
防止することができる。また、ストラップ８でベルト通しなどにファイリング用具１を接続しているので、ファイリング用具１自体を現場や車内に置き忘れたり、紛失するのを防ぐこともできる。
【実施例２】
【００２３】
図３は実施例２のファイリング用具の断面図で、止着部として面ファスナーを用いたものである。
次に、図３を用いて、実施例２のファイリング用具１００について説明する。実施例２及び以下の実施例では、ファイリング用具の基本的構成は、実施例１と同様である。したがって、同一の部材には、同一の符号を付し、詳細な説明は省略し、実施例１との相違点について、主に説明する。まず、実施例１では、止着部７として、線状ファスナー１０を用いているが、実施例２では、雄型面ファスナー１２ａと雌型面ファスナー１２ｂとからなる面ファスナー１２を用いている。このような止着部７でも、カバー部５とボード本体３とが強固に止着され、収納された書類２を良好に保護することができる。
【実施例３】
【００２４】
図４は実施例３のファイリング用具の断面図で、止着部として係合突起と係合穴を用いたものである。
図４を用いて、実施例３のファイリング用具２００について説明する。実施例３では、止着部７として、カバー部５の外縁部６に、複数の係合穴１３ａを形成し、これに対応してボード本体３の外縁部１１に、複数の係合突起１３ｂを設けている。そして、書類２を収納する際は、図４に示すように、係合穴１３ａと係合突起１３ｂとを係合させることで、カバー部５とボード本体３とを止着し、収納された書類２を良好に保護することができる。この場合も、本願がこれに限定されることはなく、一方の部品に係合穴１３ａを設け、他方の部品に係合突起１３ｂを設けたスナップボタンを止着部（７）としてもよい。
【実施例４】
【００２５】
図５は実施例４のファイリング用具の断面図で、ボード本体を箱形にして深さを設けたものである。
図５を用いて、実施例４のファイリング用具３００について説明する。実施例４のファイリング用具３００は、ボード本体３に側壁３ａを設けて箱形に形成し、より多くの書類２（図５では、資料２ａと資料２ｂ）を収納できるようにしたものである。このような構成により、書類２が多い場合でも、小分けにして複数のファイリング用具を持ち歩く必要がなく、１つのファイリング用具３００を持ち歩くだけで済むので、ファイリング用具の数をいちいち数えたり、一部が紛失するのを防ぐことができる。
【実施例５】
【００２６】
図６は実施例５のファイリング用具の断面図で、ボード本体の裏面にも第２のカバー部を配置したものである。
図６を用いて、実施例５のファイリング用具４００について説明する。実施例５のファイリング用具４００では、ボード本体３の書類２の載置面側にカバー部５を配置するとともに、裏面にも第２のカバー部１４を配置している。また、カバー部５と第２のカバー部１４とを、ボード本体３よりも広面積に形成し、カバー部５と第２のカバー部１４との外縁部６にそれぞれ綴じ代部１５を形成している。そして、カバー部５の綴じ代部１５に、線状ファスナー１０の凹溝１０ａを取り付け、第２のカバー部１４の綴じ代部１５に凸条１０ｂを取り付けている。そして、凹溝１０ａと凸状１０ｂとを係合することにより、ボード本体３にカバー部５を止着し、ボード本体３ごと書類２を収納している。このような構成では、書類２だけでなく、ボード本体３もカバー部５，１４で保護することができる。
【実施例６】
【００２７】
図７は実施例６のファイリング用具の断面図で、カバー部を袋状としたものである。
図７を用いて、実施例６のファイリング用具５００について説明する。実施例６のファイリング用具５００では、カバー部５を、上端に開口部１６を有する袋体１７で形成している。このような構成では、客先の住所や電話番号、担当者名などを記載したメモや、地図などを収納することができるので、便利である。そして、開口部１６に線状ファスナー１０などの止着部７を取り付ければ、カバー部５内の収納物の紛失を防ぐこともできる。なお、開口部１６は、上端に限らず横側に設けてもよく、止着部７を取り付けることで、収納物の紛失も防ぐし、大きな開口部１６から容易に収納することができる。また、第２のカバー部１４を袋体１７で形成してもよい。また、開口部１６が必ずしも袋体１７の上下左右端部に形成されている必要はなく、中央部などに形成されていてもよい。また、内部が複数に仕切られて、それぞれに開口部１６を設けた袋体１７を用いてもよい。
【００２８】
上記各実施例では、止着部７として、線状ファスナー１０、面ファスナー１２を用いたり、係合穴１３ａと係合突起１３ｂとを係合して止着を行っているが、本願がこれらに限定されることはなく、従来公知の何れの止着手段を用いてもよい。例えば、何度も張って剥がせる粘着テープや粘着ゲルなどを用いてもよい。また、ストラップ８も、紐状に限定されることはなく、輪状に形成して、ファイリング用具１を首から下げられるようにしてもよい。または、電話コードのような螺旋状で伸縮自在なものでもよい。また、先端にフック９を取り付けているが、ベルト通し等から容易に脱落することがなければ、本願がこれに限定されることはなく、従来公知の何れの取り付け具を用いてもよく、単なるリング状であってもよいし、時計のベルト型や腕輪型などであってもよい。鍵付きとしてもよい。
【００２９】
また、カバー部５，１４は、上記実施例では透明又は半透明としているため、書類２の存在を外から確認でき、入れ忘れなどを防ぐことができる利点がある。しかし、本願がこれに限定されることはなく、カバー部５，１４を書類２の内容が見えないような不透明な素材で形成してもよく、機密書類などが外部から見られず、安全性が向上する。
【００３０】
なお、本発明は、ファイリング用具に収納した書類の汚れや紛失を防止するとともに、調査結果などを記入することができ、好適な調査が可能であれば、上述した発明の実施の形態に限定されず、本発明の要旨を逸脱しない範囲で種々変更できることは勿論である。
【産業上の利用可能性】
【００３１】
本発明のファイリング用具は、現場への帳票の持出しによる調査に利用することができるが、さらに、調査用に限らず、あらゆる書類のファイリング用具として利用することができる。
【符号の説明】
【００３２】
１，１００，２００，３００，４００，５００  ファイリング用具
２  書類
３  ボード本体
４  クリップ（挟持部）
５  カバー部
６  外縁部（カバー部）
７  止着部
８  ストラップ
１０  線状ファスナー
１０ａ  凹溝
１０ｂ  凸条
１１  外縁部（ボード本体）
１２  面ファスナー
１２ａ  雄型面ファスナー
１２ｂ  雌型面ファスナー
１３ａ  係合穴
１３ｂ  係合突起
１４  第２のカバー部
１５  綴じ代
１６  開口部
１７  袋体
【図１】
2011201112.tif 000003
【図２】
2011201112.tif 000004
【図３】
2011201112.tif 000005
【図４】
2011201112.tif 000006
【図５】
2011201112.tif 000007
【図６】
2011201112.tif 000008
【図７】
2011201112.tif 000009